(57)【要約】【課題】  安定的に結合される照明器具を提供する。【解決手段】  本発明の照明器具はソケット及び照明カバーを含む。ソケットは、基板、２つの接続プレート及び２つのスライド溝を含み、接続プレートは基板の対向する両側に接続され、スライド溝は接続プレートの外側にそれぞれ接続され、スライド溝は２つの端部開口とスライドレールを含む。スライド溝は、フォーク形状を形成し且つ下方に延伸する第１延伸プレートを含み、スライドレールは端部開口の間に介在し、照明カバーは天板と２つの突出部を含み、突出部はそれぞれ天板の両側に接続され、天板の側方断面は円弧状をなし、円弧状の凹面がソケットに面し、各突出部の一端は対応する端部開口からスライド溝内に嵌入し、突出部は、照明カバーとソケットが外力により緩みや落下が生じないよう照明カバーがソケットに組み付けられるまでスライドレール上でスライドする安定的に結合される。【選択図】  図１
2020017510.tif 000002
【特許請求の範囲】
【請求項１】
ソケット及び照明カバーを含み、前記ソケットが、基板、２つの接続プレート及び２つのスライド溝を含み、前記接続プレートが前記基板の対向する両側に接続されている安定的に結合される照明器具において、
前記スライド溝は、前記接続プレートの外側にそれぞれ接続されており、
前記スライド溝は、２つの端部開口とスライドレールを含み、
前記スライド溝は、フォーク形状を形成し且つ下方に延伸する第１延伸プレートを含み、
前記スライドレールは、前記端部開口の間に介在しており、
前記照明カバーは、天板と２つの突出部を含み、
前記突出部は、それぞれ前記天板の両側に接続されており、
前記天板の側方断面は、円弧状をなしており、
前記円弧状の凹面は、前記ソケットに面しており、
各前記突出部の一端は対応する前記端部開口から前記スライド溝内に嵌入し、
前記突出部は、前記照明カバーが前記ソケットに組み付けられるまで前記スライドレール上でスライドすることを特徴とする照明器具。
【請求項２】
前記第１延伸プレートは前記スライド溝の外側底面に位置しており、且つ、前記第１延伸プレートと前記外側底面は異なる平面に位置することを特徴とする請求項１に記載の安定的に結合される照明器具。
【請求項３】
前記スライドレールの側方断面は第１の段差状をなしており、前記突出部の側方断面は前記第１の段差状に対応する第２の段差状をなしていることを特徴とする請求項１に記載の安定的に結合される照明器具。
【請求項４】
前記照明カバーは、前記突出部と前記天板の接続箇所に設けられる第２延伸プレートを更に含み、前記照明カバーが前記ソケットに組み付けられると、前記第２延伸プレートは前記スライド溝の外側に位置することを特徴とする請求項１に記載の安定的に結合される照明器具。
【請求項５】
前記接続プレートと前記基板は異なる平面に位置しており、前記接続プレートは前記基板の中心線に対し鏡像対称であることを特徴とする請求項１に記載の安定的に結合される照明器具。
【請求項６】
前記接続プレートと前記基板により凹溝が形成されており、前記凹溝の開口は前記円弧状の凹面に面していることを特徴とする請求項１に記載の安定的に結合される照明器具。
【請求項７】
前記ソケットはアルミ型材からなることを特徴とする請求項１に記載の安定的に結合される照明器具。
【請求項８】
前記照明カバーはプラスチック材料からなることを特徴とする請求項１に記載の安定的に結合される照明器具。
【発明の詳細な説明】
【技術分野】
【０００１】
本発明は照明器具に関し、特に、取り付け時に安定的に結合される照明器具に関する。
【背景技術】
【０００２】
照明器具は、過去のタングステンランプや蛍光灯、ハロゲンランプから、現在の発光ダイオードや無電極ランプへと進化を遂げるなかで、次第に設計美学といった生活の潤い面との融合が進んできた。よって、照明器具はもはや単なる機能的な道具ではなく、インテリアとして生活に趣を与える役割も果たしている。
【０００３】
日常生活において照明機器はなくてはならない重要なツールである。従来技術では、照明器具の組立部材はネジ又はその他の固定具により組み付けられて固定される。しかし、このような組立方式は操作しにくく時間がかかるほか、構造設計にも労力を要する。
【０００４】
また、照明器具の組立部材を自然に嵌接及び係合させて上記の課題を解決するものも存在するが、依然として組み立てが容易でないとの課題が存在する。
【０００５】
従来の照明器具の固定構造を開示する文献として下記の特許文献１がある。特許文献１に開示の照明器具の固定構造は、長手方向両端に設けられた固定用ステイに形成された切欠き溝に挿通する締結具によって照明器具を固定する固定構造であって、前記固定用ステイに、互いに直交する向きに開口する切欠き溝をそれぞれ形成したことを特徴とする。
【先行技術文献】
【特許文献】
【０００６】
【特許文献１】特開２０１４−１３７９８６号公報
【発明の概要】
【発明が解決しようとする課題】
【０００７】
しかしながら、従来の照明器具の固定構造は必ずしも取り付けが容易とは言えなかった。そこで、照明カバーとソケットが外力により損傷して緩みや落下が容易に生じることのないよう、安定的に結合される照明器具を提供する必要がある。
【課題を解決するための手段】
【０００８】
上記の目的を実現すべく、本発明者は一実施例として、ソケット及び照明カバーを含み、ソケットは、基板、２つの接続プレート及び２つのスライド溝を含み、接続プレートは基板の対向する両側に接続されており、スライド溝は接続プレートの外側にそれぞれ接続されており、スライド溝は２つの端部開口とスライドレールを含み、スライド溝は、フォーク形状を形成し且つ下方に延伸する第１延伸プレートを含み、スライドレールは端部開口の間に介在しており、照明カバーは天板と２つの突出部を含み、突出部はそれぞれ天板の両側に接続されており、天板の側方断面は円弧状をなしており、円弧状の凹面がソケットに面しており、各突出部の一端は対応する端部開口から前記スライド溝内に嵌入し、突出部は、前記照明カバーがソケットに組み付けられるまでスライドレール上でスライドする安定的に結合される照明器具を提供する。
【０００９】
上記の安定的に結合される照明器具は、好ましい実施形態において、前記ソケットはアルミ型材からなる。
【００１０】
上記の安定的に結合される照明器具は、好ましい実施形態において、前記照明カバーはプラスチック材料からなる。
【００１１】
上記の安定的に結合される照明器具は、好ましい実施形態において、前記スライド溝は、前記スライド溝の外側底面に位置する第１延伸プレートを含み、且つ、前記第１延伸プレートと前記外側底面は異なる平面に位置する。
【００１２】
上記の安定的に結合される照明器具は、好ましい実施形態において、前記スライドレールの側方断面は第１の段差状をなしており、前記突出部の側方断面は前記第１の段差状に対応する第２の段差状をなしている。
【００１３】
上記の安定的に結合される照明器具は、好ましい実施形態において、前記照明カバーは、前記突出部と前記天板の接続箇所に設けられる第２延伸プレートを更に含み、前記照明カバーが前記ソケットに組み付けられると、前記第２延伸プレートは前記スライド溝の外側に位置する。
【００１４】
上記の安定的に結合される照明器具は、好ましい実施形態において、前記接続プレートと前記基板は異なる平面に位置しており、前記接続プレートは前記基板の中心線に対し鏡像対称である。
【００１５】
上記の安定的に結合される照明器具は、好ましい実施形態において、前記接続プレートと前記基板により凹溝が形成されており、前記凹溝の開口は前記円弧状の凹面に面している。
【発明の効果】
【００１６】
以上述べたように、本発明の安定的に結合される照明器具によれば、照明カバーの突出部とソケットのスライド溝を嵌合してスライドさせることでこれらを結合するため、照明器具の迅速な組み付けが可能となる。且つ、照明カバーとソケットを緊締する効果を有しており、照明カバーとソケットが外力により損傷して緩みや落下が容易に生じることのないよう、「水平」及び「垂直」両方向における緊締に配慮している。
【図面の簡単な説明】
【００１７】
【図１】本発明の安定的に結合される照明器具における一実施例の外観図である。
【図２】本発明の安定的に結合される照明器具における一実施例の側面図である。
【図３】本発明の安定的に結合される照明器具における一実施例の分解図である。
【発明を実施するための形態】
【００１８】
技術方案にかかる技術内容、構造の特徴、実現しようとする目的及び効果を詳細に説明すべく、以下に具体的実施例と図面を組み合わせて詳述する。
【００１９】
本発明の安定的に結合される照明器具１００における一実施例の外観図、側面図及び分解図を示す図１〜図３を参照する。
【００２０】
本実施例において、安定的に結合される照明器具１００は、ソケット１１及び照明カバー１２を含む。
【００２１】
本実施例において、ソケット１１はアルミニウム押出型材であり、長尺構造をなしている。ソケット１１は、基板１１１、２つの接続プレート１１２及び２つのスライド溝１１４を含む。接続プレート１１２は基板１１１の対向する両側に接続されている。なお、接続プレート１１２は平行でない基板である。２つの接続プレート１１２は、照明プレート１４の両側に対して外側に傾斜するよう設計されている。照明プレート１４上の電球１４２から照射される光は２つの接続プレート１１２に沿うため、暗部が生じることがない。
【００２２】
本実施例では、接続プレート１１２と基板１１１により対向する２つの凹溝１３が形成されている。凹溝１３の開口は円弧状の凹面に面している。また、スライド溝１１４は接続プレート１１２の外側にそれぞれ接続されている。スライド溝１１４は２つの端部開口１１４１とスライドレール１１４２を含み、スライドレール１１４２が端部開口１１４１の間に介在している。
【００２３】
本実施例において、照明カバー１２は長尺構造をなしている。照明カバー１２は天板１２１と２つの突出部１２２を含み、突出部１２２がそれぞれ天板１２１の両側に接続されている。天板１２１の側方断面は円弧状をなしており、円弧状の凹面がソケット１１に面している。各突出部１２２の一端は、対応する端部開口１１４１からスライド溝１１４内に嵌入する。突出部１２２は、照明カバー１２がソケット１１に組み付けられるまでスライドレール１１４２上でスライドする。
【００２４】
一実施例において、ソケット１１はアルミ型材からなる。
【００２５】
図１〜図２に示す実施例において、スライド溝１１４は、スライド溝１１４の外側底面に位置する第１延伸プレート１１４３を含む。第１延伸プレート１１４３と外側底面は異なる平面に位置している。また、第１延伸プレート１１４３はフォーク形状を形成し、且つ、第１延伸プレート１１４３の底部が下方に延伸している。ここで、フォーク形状とは、先端部が分かれて櫛状になった形状を意味する。
【００２６】
このほか、スライドレール１１４２の側方断面は第１の段差状１１４２’をなしており、突出部１２２の側方断面は第１の段差状１１４２’に対応する第２の段差状１２２’をなしている。換言すると、スライドレール１１４２と突出部１２２は互いに緊合可能な部材であり、照明カバー１２とソケット１１を互いに嵌合した状態でスライドするようしっかりと結合する。
【００２７】
また、本実施例において、照明カバー１２は、突出部１２２と天板１２１の接続箇所に設けられる第２延伸プレート１２３を更に含む。照明カバー１２がソケット１１に組み付けられると、第２延伸プレート１２３はスライド溝１１４の外側に位置する。
【００２８】
また、本実施例において、接続プレート１１２と基板１１１は異なる平面に位置している。図３を参照して、接続プレート１１２は基板１１１の中心線に対し鏡像対称となっている。
【００２９】
また、本実施例において、接続プレート１１２と基板１１１により凹溝１３が形成されており、凹溝１３の開口が円弧状の凹面に面している。
【００３０】
上述したように、本発明の安定的に結合される照明器具１００によれば、照明カバー１２の突出部１２２とソケット１１のスライド溝１１４とが嵌合してスライドすることで、照明カバー１２とソケット１１がしっかりと組み合わされる。よって、照明器具１００の迅速な組み付けが可能となる。このほか、上記の設計によれば、本発明は照明カバー１２とソケット１１を緊締する効果を有している。また、照明カバー１２とソケット１１が外力により損傷して緩みや落下が容易に生じることのないよう、「水平」及び「垂直」両方向における固定力に配慮している。
【００３１】
なお、本文では上記の各実施例について記載したが、本発明による保護の範囲はこれらに限定されない。したがって、本文で記載した実施例について本発明の創造理念に基づき実施される変更及び修正、或いは、本明細書及び図面の内容を用いて実施される等価の構造又は等価の工程への変更によって、直接的又は間接的に上記の技術方案を他の関連の技術分野に運用する場合、これらはいずれも本発明の保護の範囲に含まれる。
【符号の説明】
【００３２】
１００      照明器具
１１        ソケット
１１１      基板
１１２      接続プレート
１１４      スライド溝
１１４１    端部開口
１１４２    スライドレール
１１４２’  第１の段差状
１１４３    第１延伸プレート
１２        照明カバー
１２１      天板
１２２      突出部
１２２’    第２の段差状
１２３      第２延伸プレート
１３        凹溝
【図１】
2020017510.tif 000003
【図２】
2020017510.tif 000004
【図３】
2020017510.tif 000005